(57)【要約】      （修正有）【課題】パンチングボールの代用ができ、低コストで美麗で繊細な仕上がりが得られ、組み立てが短時間で容易に行えて一定の場所にきちんとポジションを確保することが出来、廃棄時には安全な焼却を行い得るようなスタンド型表示体を提供する。【解決手段】両側部で繋げられた前壁部と背壁部と、この前壁部と背壁部との間の少なくとも下部を広げて立体化しこれにより全体を自立可能な状態にし得る手段が前壁部と背壁部との間に設けられていると共に、前壁部と背壁部との間に渡された底部と、この底部の上に設けられた重錘とを備えたものとした。さらに前記底部が船底形を呈するものとして、ロッキングチェアーのような一方向への揺動運動を行わせる。【選択図】図１
0003164884.tif 000002
【実用新案登録請求の範囲】
【請求項１】
両側部で繋げられた前壁部と背壁部と、この前壁部と背壁部との間の少なくとも下部を広げて立体化しこれにより全体を自立可能な状態にし得る手段が前壁部と背壁部との間に設けられていると共に、前壁部と背壁部との間に渡された底部と、この底部の上に設けられた重錘と、を備えていることを特徴とするスタンド型表示体。
【請求項２】
前記底部が前壁部と背壁部との間に在って両者を突っ張る突っ張り片である、請求項１に記載のスタンド型表示体。
【請求項３】
前記突っ張り片の中央部が山折り可能となるように、中央部に山折り線を有すると共に、両端部が谷折り可能となるように、両端部に谷折り線を有するものである、請求項２に記載のスタンド型表示体。
【請求項４】
前記底部がその周囲に立壁部を備えた底部材であり、この立壁部の外側に前壁部と背壁部とを被せて前壁部と背壁部との間を立体化するものである、請求項１に記載のスタンド型表示体。
【請求項５】
前記立壁部に粘着面が形成されており、この粘着面に前壁部と背壁部とが接着されるものである、請求項４に記載のスタンド型表示体。
【請求項６】
前壁部と背壁部の下端部が内側に折り返されて上折り返し部を形成していると共に、前記立壁部の上端部が外側に折り返されて下折り返し部を形成しており、この下折り返し部に前記上折り返し部を嵌め合わせて前壁部と背壁部とを底部材に固定するものである、請求項４に記載のスタンド型表示体。
【請求項７】
前記重錘が袋の中に砂、砂鉄、金属粉、極小金属球、ゲル状体の中から選ばれる少なくとも一を納めて成るものである、請求項１に記載のスタンド型表示体。
【請求項８】
前記重錘が口付きの容器とこの中に納めた高吸水性ポリマーとから成るものである、請求項１に記載のスタンド型表示体。
【請求項９】
前記底部が船底形を呈しているものである、請求項１に記載のスタンド型表示体。
【請求項１０】
前記底部が球面形状を呈しているものである、請求項４に記載のスタンド型表示体。
【考案の詳細な説明】
【技術分野】
【０００１】  この考案は、従来からあるパンチングボールに代えて用いることが出来、設置が容易であると共に美麗な印刷が低コストで行えるような、主として宣伝用具としてのスタンド型表示体に関するものである。
【背景技術】
【０００２】  従来より玩具のパンチングボールの構成を宣伝用具に利用したものが各種存在する。玩具のパンチングボールは主として塩化ビニールを素材とし、全体は略円柱状でその底部が空気吹き込み時には球面に形成されるような、そうした嚢体の前記底部に重錘が固定されて成るものであり、前記嚢体にはこれを膨らませるための空気の吹き込み口が設けられている。上述したように底部は球面状ではあるが、空気入りのビニール嚢体（「空ビ」とも呼称される）であることから、底部は重錘の重量で変形し、意外と安定した立ち姿勢を保ち、そのポジションを確保することが出来るものである。このような嚢体の表面にシルク印刷によりキャラクターなどを印刷して、宣伝用具としての利用を行う場合がある。これは等身大に作られることが多く、起き上がり子法師のような動作を行うため、子供等からは突いたり叩いたりして遊ばれ喜ばれている。なお玩具のパンチングボールの一例として実開平２−１０６２７７号の「打撃玩具」を上げる。
【先行技術文献】
【特許文献】
【０００３】
【特許文献１】実開平２−１０６２７７号公報
【考案の概要】
【考案が解決しようとする課題】
【０００４】  このようなパンチングボールではあるが、次のような問題点も有している。即ち（１）塩化ビニールの表面部に施される印刷はシルク印刷に依っているが、目が荒いために印刷が美しく出ない欠点がある。また文字などの印刷では細かい表現が出来ないためにどうしても情報量を少なくせざるを得ない。これに対してオフセット印刷を行おうとすると、形の定まりにくい空ビではかえってコスト高になってしまう。（２）廃棄する場合に焼却によって処理を行うとダイオキシンを発生すると言う問題がある。（３）嚢体を設置するには内部に空気を吹き込んで膨らませる必要があるが、嚢体が大きくなればなるほどに時間と労力とが掛かってしまう。【０００５】  従ってこの考案では、上述のような問題点を解決して、比較的に低コストで美麗で繊細な仕上がりを得ることが可能であり、組み立てが短時間で容易に行えて一定の場所にきちんとポジションを確保する（揺動機能は必須ではない）ことが出来ると共に、廃棄時には安全な焼却を行い得るような、そうしたスタンド型表示体を提供することを目的とする。さらには従来のパンチングボールのように安定的に揺動運動が行えるようにすることを目的とする。
【課題を解決するための手段】
【０００６】  上記課題の解決に先立ち当考案者は、空ビの代わりに紙様体を用いて表示体を構成すれば、上述したような印刷の問題も、焼却の問題も、また組み立ての問題も悉く解決することが出来ると言う知見を得た。さらに必要があれば、紙様体によっても揺動運動を行わせる設計が可能であると言う知見を得たのである。【０００７】  すなわち上記課題は、両側部で繋げられた前壁部と背壁部と、この前壁部と背壁部との間の少なくとも下部を広げて立体化しこれにより全体を自立可能な状態にし得る手段が前壁部と背壁部との間に設けられていると共に、前壁部と背壁部との間に渡された底部と、この底部の上に設けられた重錘と、を備えていることを特徴とするスタンド型表示体とすることによって達成される。なお前記前壁部と背壁部の上側の形状や構成は任意である。また前壁部と背壁部の素材は紙様体であるためコストが安く、素材となる紙の艶出し加工や、オフセット印刷などによって美麗な印刷や情報量の多い印刷などをいかようにも行い得るため、表現の自由度が高まると言う利点がある。【０００８】  前壁部と背壁部とが両側部で繋げられていると言う場合、前壁部と背壁部とが別体であり、それ等が重合されて各々の両側部で接着や蝶番止めが為されているもの、１枚の紙が２つ折りによって前壁部と背壁部とが形成され、この折り目に対向する合わせ目が接着されているもの、円筒を平らに潰したものであり、これによって生じた両側の折り目から前壁部と背壁部とが形成されているもの、などを上げることが出来る。前壁部も背壁部も、縦方向に折り目を有しているものとすることが可能である。前壁部や背壁部の素材は任意であり、紙の他にもＰＥＴフィルムなどの合成樹脂シート等を必要に応じて選択したり混用することが可能である。また必要に応じて前壁部や背壁部に窓を開けることが可能である。透明な樹脂フィルムの場合では、フィルムに窓の部位を残してマスキング印刷を施すことで窓を作ることが可能である。【０００９】  前記全体を自立可能な状態にし得る手段が前壁部と背壁部との間の少なくとも下部を押し広げる役目を担っている。これにより前壁部と背壁部との間隔がこの折り込み片の分だけ開き、結果的に膨んで立体化する。この場合、膨らみが円に近くなるほど剛性が大きくなるため丈の高いものを提供することが出来る。なお前記底部が、前記仝体を自立可能な状態にし得る手段を兼ねるように設計することが可能である。さて前記重錘は底部の上に設けられており、前壁部と背壁部とで構成される筒状体を安定的に立たせて、その場所にポジションを確保する役目を担う。この立体化の作業は、空ビに空気を吹き込む作業とは異なり、短時間で容易に行い得るものである。【００１０】  次に請求項２の考案は、前記底部が前壁部と背壁部との間に在って両者を突っ張る突っ張り片としたものである。すなわち底部が前記全体を自立可能な状態にし得る手段である突っ張り片を兼ねている点に特徴を有する。この突っ張り片としては、前記前壁部または前記背壁部に設けられた折り込み部によって相対する側の壁部を突っ張るものや、独立した部材である一片を前壁部と背壁部とに突き当てるようにして前壁部と背壁部とに接着するものなどを自由に設計する��とが可能である。また請求項４の考案は、前記底部がその周囲（全周でなくとも可）に立壁部を備えた底部材であり、この立壁部の外側に前壁部と背壁部とを被せて前壁部と背壁部との間を立体化するものに関する。例えば皿のような形状の底部材を上げることが出来、この例では皿の周りを前壁部と背壁部とから成る筒状体で押え付けたような状態のスタンド型表示体と相成る。【００１１】  なお請求項２の考案に関連して請求項３の考案は、前記突っ張り片の中央部が山折り可能となるように中央部に山折り線を有すると共に、両端部が谷折り可能となるように両端部に谷折り線を有するものに関する。これは突っ張り片をその中央部の山折り線で折ることによってその突っ張り力を失わせ、スタンド型表示体の全体を、前壁部と背壁部とを合わせた平らな状態に潰すことが出来ると言うものである。このように潰すことによって運搬したり収納したりすることが容易に行えるように成る。【００１２】  また請求項４の考案に関連して請求項５の考案は、前記立壁部に粘着面が形成されており、この粘着面に前壁部と背壁部とが接着されるものに関する。前壁部と背壁部とをその底で開いてここに底部材を嵌め込むのであるが、この際に底部材の立壁部の粘着面が前壁部や背壁部に接着して嵌め込みが固定される。なお前記粘着面には剥離紙を付けておくと不本意に接着することがなくなるから便利である。また請求項４の考案に関連して請求項６の考案は、前壁部と背壁部の下端部が内側に折り返されて上折り返し部を形成していると共に、前記立壁部の上端部が外側に折り返されて下折り返し部を形成しており、この下折り返し部に前記上折り返し部を嵌め合わせて前壁部と背壁部とを底部材に固定するものである。従って両部材の折り返し部同士を掛止させ合うことで両部材をしっかりと固定することが出来る。なお一方の折り返し部側に突起を設け、これと相対する他方の側にこの突起を受ける溝部や孔部を設けておけば、より一層完全な嵌め合わせを実現し得る。【００１３】  さて前記重錘が、袋の中に砂、砂鉄、金属粉、極小金属球、ゲル状体の中から選ばれる少なくも一を納めて成るものとすることが出来る。重錘は固形の形状不変のものであっても良いが、適度の重量があり袋の中で移動し得るもの、形状を変化させ得るものの方が、製造時や取扱時の当りがソフトであり安全であり、またカタコトと言うような固形のものが発するような音がしないと言う利点がある。なお前記の選択は一でも複数でも自由である。また混用出来るものは混ぜ合わせて用いても良い。【００１４】  同様に前記重錘が口付きの容器とこの中に納めた高吸水性ポリマーとから成るものとすることが可能である。スタンド型表示体の組み立てに当たり重錘に付いては、口から容器内に水を入れて高吸水性ポリマーに吸収させることにより、その場で重錘に変化させることが出来る。この際の吸水量は高吸水性ポリマーの重量を大きく上回るものになるため、この考案に必要な重錘としては十分な重量が得られるが、水を吸わせるまでは極めて軽いものであるため、運搬や収納には極めて都合がよい。従って土嚢などへの用途が考えられる。なお容器にはペットボトルなどの蓋付きの容器が利用出来るほか、高吸水性ポリマーが漏れ出さない程度の目の細かさの合成樹脂製編袋や、布袋や、不織布などによる紙袋が任意に使用可能である。またこのケースとして藤篭などを用いると見映えが良くなる。【００１５】  さてこの考案では前記底部が船底形を呈しているものとすると、丁度ロッキングチェアーのような一方向への揺動運動をスタンド型表示体にさせることが可能となり、これに触れる者や揺動運動を見る者にトリッキーな印象を与えることが出来る。さらに請求項１０の考案では請求項４のスタンド型表示体に関して、前記底部が球面形状を呈しているものとしている。従って揺動運動は恰も起き上がり子法師のように、周囲３６０度の全方向に対して行われることになるが、この考案のスタンド型表示体によれば、安定した立ち姿勢を保ってそのポジションを確保することが出来るのである。【００１６】  なおこの考案のスタンド型表示体は物を納めるためのポケットを備えているものとしても良い。このポケットには求人案内や旅行案内などのパンフレットや、各種のフライヤーの類などを展示することが可能であり、また可能なように製作すれば良い。また見本品や商品を展示することが可能であり、例えば電子辞書や携帯電話機などの電子機器（開いた状態でのディスプレ−も可能）、カレンダーや絵本や雑誌の類、手帳やバインダーなどの文房具類、写真やブロマイド、ＣＤやＤＶＤ、化粧品容器、人形や雑誌の付録、造花や活け花等々を展示し得るように構成することが可能である。
【考案の効果】
【００１７】  この考案によれば、従来からある宣伝用の空ビに代え、紙様体によっても組み立て式のスタンド型表示体を構成することが出来るようになっている。この結果設置が容易であると共に美麗な印刷が低コストで行えて、一定の場所にきちんとポジションを確保することが出来ると共に、廃棄時には安全な焼却を行えるようになると言う効果を奏する。更に必要があれば、紙様体によっても従来のパンチングボールのような安定的な揺動運動を行い得るようにすることが出来る。
【図面の簡単な説明】
【００１８】
【図１】  第１実施形態の背面図である。
【図２】  図１のＡ−Ａ線断面を表わす説明図である。
【図３】  図１のＢ−Ｂ線断面を表わす説明図である。
【図４】  第２実施形態の斜視図である。
【図５】  同実施形態の底面図である。
【図６】  同実施形態の使用状態を表わす説明図である。
【図７】  第３実施形態の底部５を表わす斜視図である。
【図８】  第４実施形態の内部構造を表わす説明図である。
【図９】  同実施形態の底部５３を表わす底面図である。
【図１０】  第５実施形態の重錘６を表わす側面図である。
【考案を実施するための形態】
【００１９】  以下ではこの考案の５種の実施例を図面を参照しつつ説明するが、この考案はこれ等の実施例に限定されるものではない。例えば素材に厚紙を用いる他に合成樹脂製の薄板なども任意に選択可能である。
【実施例１】
【００２０】  図１乃至図３を用いて、この実施例の組み立て式のスタンド型表示体を説明する。１枚の厚紙を二つ折りにして、その一面を前壁部１とし他面を背壁部２として、前壁部１の端部に設けた接着片１０を内方へ折り返し、背壁部２の端部内側に接着して成る。また前記前壁部１の上縁部１１の方が背壁部２の上縁部２０よりも高くなるように構成されているが、この部位は前壁部１と背壁部２とが接着されておらず開放端とされている。また背壁部２の下方部には下側の折り込み部２１と両側及び上側の切り込み溝２２とから構成される折り込み片２３が設けられている。この折り込み片２３の先端部の中央部分には指が入る大きさの切欠部２４が設けられている（図１）。【００２１】  前記折り込み片２３を折り込み部２１から内側に折り込むようにすると、折り込み片２３の先端部が前壁部１の背面壁に突っ張って背面壁を押し、前壁部１と背壁部２との間を膨らませるように作用する（図２：図１のＡ−Ａ線断面図）。しかしながら前記折り込み片２３の上方、すなわち切り込み溝２３から前記上縁部２０に掛けての上方部では徐々に膨らみの度合が小さくなり、前記上縁部２０に於いてはほとんどゼロに等しく成る。この傾向は相対する前壁部１でも生じており、この部位は平面状に近いものと成っており、ここを宣伝広告などの好適な表示部として利用することが出来るのである。【００２２】  なおこの実施例では、前記折り込み部２１の端部が背壁部２の両側部より内側に設けられている。これは内側へ折り込みやすくするための工夫であるが、この部位が背壁部２の両側部に至るように形成してよいことは言うまでもない。また折り込み片２３の先端部に切欠部２４が設けられていることにより、折り込み片２３と前壁部１の背面壁との間に指が入る隙間が出来、これによって折り畳みの作業が楽なものと成っている。なお前壁部１及び背壁部２の底部が下方に円弧状を呈する突出部とすることによって、膨らませた時に底部を床面に密着しやすくさせて設置姿勢を安定化させることが出来る。また前記折り込み片２３を設ける数に限定はなく、前記折り込み片２３を上方にも設けることで、このスタンド型表示体を上方まで膨らませることが可能となる。【００２３】  上述したように折り込み片２３の先端部が前壁部１の背面壁を押し、前壁部１と背壁部２との間を膨らませるように作用するが、これによってこの実施例のスタンド型表示体を自立させることが出来る。しかしながらこの考案ではもう一段の安定性が欲しいわけであるから、前壁部１と背壁部２の下縁部の間に紙製の底部３を、その両側の接着部３０，３０で前壁部１と背壁部２とに固定し、底部３の上に砂鉄４０入りの袋が入ったケース４を設けているのである（図３：図１のＢ−Ｂ線断面図）。これによって十分な安定性が得られこのスタンド型表示体は自己のポジションをきちんと確保することが出来るのである。
【実施例２】
【００２４】  図４乃至図６はこの考案の第２の実施例を表わす。１枚の厚紙を二つ折りにして、その一面を前壁部１２とし他面を背壁部２５として、前壁部１２の側面端部に設けた接着片１３を内方へ折り返し、背壁部２５の側面端部の内側に接着して成る。前壁部１２の上縁部と背壁部２５の上縁部は接着されておらず開放端とされており、ここから内部にチラシＦなどを入れて置くことが出来るようになっている。また前壁部１２と背壁部２５の下縁部を船底としている。前壁部１２側は船底１４を描いているが、背壁部２５は描いていない（図４）。【００２５】  このスタンド型表示体を下方から上方へ（図４矢線Ｃ）見た図が図５であり、この使用状態を表わすものが図６である。前壁部１２と背壁部２５との下部には底部３１が設けられており、これによって前壁部１２と背壁部２５との間を膨らませてこの実施形態のスタンド型表示体を自立させるようにする。前記底部３１は、その一側の接着片３２で折り曲げ自在（谷折り）となるように背壁部２５の内側に固定されているが、他側は自由端とされている。また中央部に山折線３６が付された折り込み片３３は、その一側の接着片３２で折り曲げ自在（谷折り）となるように前壁部１２の内側に固定されていると共に他側は前記山折線３６から端部までが接着片３５として前記底部３１の下面に固定されている。さらにこの底部３１の上面には砂鉄４０入りの袋が入ったケース４が接着固定されている（図６）。【００２６】  今この実施例のスタンド型表示体が潰されて保存されている状態から、図５に於いてその左右方向から矢線で示すように手で押し、前壁部１２と背壁部２５との間を広げるようにしてやると、上方に跳ね上がっていた前記底部３１がその上の砂鉄４０のケース４の重量によって下降する。この間に前記折り込み片３３も山折線３６による山折り状態を解消するように下降する。そして底部３１の下降は折り込み片３３に重なった時に停止する。この状態は底部３１で前壁部１２と背壁部２５との間を突っ張っている状態である。いわば底部３１は上述の第１実施例に於ける折り込み片２３と底部３の役割を担っているわけである。【００２７】  こうしてスタンド型表示体は自立するが、図４で表わしたように船底部１４によって揺動運動を行わせることが可能である。この際に前記底部３１の砂鉄４０のケース４の重量が作用して、このスタンド型表示体は自己のポジションをきちんと確保しつつ揺動運動を行うことが出来るのである。なおこの揺動運動は左右方向への運動である。この一見トリッキーな動きは人の注目を集めるには十分である。なお図４のようにさらにぶら下げ広告Ｈなどを設けると、スタンド型表示体の揺動運動に連れて揺れるものとなる。【００２８】  次にこの状態からスタンド型表示体を元の潰れた平らかな状態に戻したいとする場合には、底より手を入れて山折り線３６の辺りを押し上げれば良い。
【実施例３】
【００２９】  この実施例のスタンド型表示体には図７で表わした底部５が取り付けられている。この底部５を取り付ける表示体の部分は図示していないが、実施例１の前壁部１や背壁部２の構成に倣って良い。このものは一例バキューム成型に成る合成樹脂製の部分球体であり、この球面部５１の内側の底には上述した砂鉄４０のケース４が固定されている。またこの周縁部には立壁部５０が形成されており、この外側は粘着面５２が形成されている。なお使用するまではこの粘着面５２の上に剥離紙を掛けておくのが良い。【００３０】  そこで例えば実施例１の前壁部１や背壁部２から成る筒状体をこの合成樹脂製の部分球体状の底部５に被せて、前記粘着面５２に前壁部１と背壁部２との内側を接着させると、この実施例のスタンド型表示体が完成する。このものは３６０度全方向への揺動運動が可能であり、自己のポジションをきちんと確保しつつ、起き上がり子法師のように倒しても自動的に起き上がって来る。
【実施例４】
【００３１】  図８及び図９はこの考案の実施例４を表わす。前壁部１２と背壁部２５とから成る筒状体の底に底部５３を取り付けて、起き上がり子法師の動きをさせようと言うスタンド型表示体である。この実施例の特徴は底部５３の取り付け構造にある。すなわち前壁部１２と背壁部２５とはその下縁部を上方に折り返してなる折り返し部１５及び折り返し部２６を備えると共に、部分球体状の底部５３の周縁部は下方に折り返してなる折り返し部５４を備える（図８）。【００３２】  前記折り返し部１５と折り返し部２６とは底部５３側の折り返し部５４に嵌め合わされて一体化する。なお図示していないが、折り返し部５４には内方に突出する突起が設けられており、この突起は折り返し部１５及び折り返し部２６側に設けられた、やはり図示しない嵌合孔に嵌め込まれるようになっている。さらに底部５３の砂鉄４０のケース４を固定する箇所の周辺には、ここから指を入れて砂鉄４０のケース４の位置合わせなどの調節を行うための、左右２個ずつの指孔５５が開孔されている。【００３３】  この実施例のスタンド型表示体に於いても、自己のポジションを確保しつつの３６０度全方向への揺動運動が可能であり、起き上がり子法師のように倒しても自動的に起き上がって来るため、従来からあるパンチングボールのように子供等によって突いたり叩いたりして遊ばれる。また大人にとってもこのような揺動運動を見ることは楽しいことである。
【実施例５】
【００３４】  この実施例はスタンド型表示体の底部に用いる重錘に関する。図１０で表わしたように合成樹脂製の容器６の中に高吸水性ポリマー７を納め、容器６にキャップ６０を取り付けて成るものである。キャップ６０を取り容器６の内部に水を注ぐと、高吸水性ポリマー７がこの水をどんどん吸い込んで、重錘として使えるようになる。高吸水性ポリマー７を用いずに容器６内に単に水を入れただけのものよりは、水の流動性が無いだけに取り扱いが極めて便利である。【００３５】  合成樹脂製の容器６の代わりとしては、布製の袋や紙製の袋を使用することが出来る。布製や紙製の袋の中に高吸水性ポリマー７を納めて、口を閉じておき、必要に応じて口を開いて水を注ぎ入れ、最後に口を閉じれば重錘として使用することが出来る。さらに袋を２重に形成しても良い。なおこのように袋に詰められた高吸水性ポリマーは、生理用品と同様で、不要になった場合には容易に廃棄できる。
【産業上の利用可能性】
【００３６】  この考案のスタンド型表示体には、前壁部と背壁部とから成るものの他に円筒形のものをそのまま使用するなどが利用可能である。あるいは上述した実施例３の底部５の周りを１枚の紙で囲って粘着面５２に固定し、組み立て時に円筒形状を構成することも可能である。このようなものもこの考案の権利範囲内のものである。なおこの考案のスタンド型表示体にＬＥＤ（Ｌｉｇｈｔ  Ｅｍｉｔｔｉｎｇ  Ｄｉｏｄｅ）などによる電飾を施すことが出来る。また重錘が鉄粉などの誘磁体の場合では、電磁駆動ムーブメントを備えて磁力の力を重錘の鉄粉に作用させて自動的に揺動運動を行なうように構成することが可能である。また音声合成ＩＣ（Ｉｎｔｅｇｒａｔｅｄ  Ｃｉｒｃｕｉｔ）を内蔵して音声やメロディーを流すようにすることが出来る。
【符号の説明】
【００３７】１    前壁部
１０  接着片
１１  上縁部
１２  前壁部
１３  接着片
１４  船底部
１５  折り返し部
２    背壁部
２０  上縁部
２１  折り込み部
２２  切り込み溝
２３  折り込み片
２４  切欠部
２５  背壁部
２６  折り返し部
３    底部
３０  接着部
３１  底部
３２  接着片
３３  折り込み片
３４  接着片
３５  接着片
３６  山折り線
４    ケース
４０  砂鉄
５    底部
５０  立壁部
５１  球面部
５２  粘着面
５３  底部
５４  折り返し部
５５  指孔
６    容器
６０  キャップ
７    高吸水性ポリマー
【図１】
0003164884.tif 000003
【図２】
0003164884.tif 000004
【図３】
0003164884.tif 000005
【図４】
0003164884.tif 000006
【図５】
0003164884.tif 000007
【図６】
0003164884.tif 000008
【図７】
0003164884.tif 000009
【図８】
0003164884.tif 000010
【図９】
0003164884.tif 000011
【図１０】
0003164884.tif 000012